(57)【要約】【課題】  利用者が緊急時に通報を行った後、親機に確実に通報が伝わったことを確認することが可能な、緊急時に安心感を与える緊急通報システムを提供する。【解決手段】  緊急時に携帯子機１は緊急通報親機２に緊急無線信号を送信する。緊急通報親機２は携帯子機１から受信した緊急無線信号の緊急通報情報をネットワーク３を介して緊急通報信号収集サーバ４に送信し、携帯子機１に対してＡＣＫ信号となるワイヤレス給電を行う。携帯子機１はＡＣＫ信号となるワイヤレス給電を受電した後に、音と表示で携帯子機から緊急通報親機に無線通信が問題なく行われたことをユーザに伝える。【選択図】    図１
2016162173.tif 000002
【特許請求の範囲】
【請求項１】
緊急通報に係る所定の緊急無線信号を送信する携帯子機と、前記緊急無線信号を受信し前記受信した緊急無線信号に係る情報を表示するまたは所定の宛先へ通報する緊急通報親機から成る緊急通報システムであって、
前記緊急通報親機は、前記携帯子機から前記緊急無線信号を受信する緊急無線信号受信手段と、近傍に存在する前記緊急通報子機へ前記緊急通報子機を動作させる電力をワイヤレス給電する給電手段と、を有し、前記携帯子機から前記緊急無線信号を受信した場合に、前記給電手段を制御し、前記携帯子機へワイヤレス給電する電力を予め定められたオン／オフパターンまたは電力値変動パターンに変調し、
前記携帯子機は、前記緊急無線信号を送信する緊急無線信号送信手段と、前記緊急通報親機から電力をワイヤレス受電する受電手段と、前記受電手段が受電する電力のオン／オフまたは電力値変動を監視する受電電力監視手段と、を有し、前記受電手段がワイヤレス受電した電力で動作すると共に、前記緊急無線信号を送信した場合に、前記受電電力監視手段は前記緊急通報親機からワイヤレス受電する電力を監視し、前記予め定められたオン／オフパターンまたは電力値変動パターンを検知したならば、前記送信した緊急無線信号が前記緊急通報親機に送達された旨を自携帯子機が備える表示部に表示することを特徴とする緊急通報システム。
【発明の詳細な説明】
【技術分野】
【０００１】
本発明は、緊急時に子機から親機に対して通報信号を無線で送信する緊急通報システムに関する。
【背景技術】
【０００２】
従来、無線を用いた緊急時の通報装置として、利用者が子機を携帯し、緊急な有事の際には親機に対して信号を送信して緊急を外部に知らせる技術がある（例えば、特許文献１）。また、無線通信部を有する子機から親機である中継機に対して定期通信を行い、定期通信に対してＡＣＫ信号を送信する技術がある（例えば、特許文献２）。
【０００３】
しかしながら、特許文献１には、利用者に対して、親機が緊急信号を受信したことを子機に知らせる手段はない。また、特許文献２のＡＣＫ信号は定期的な通信でのＡＣＫ信号であって緊急時に行う通信ではない。したがって、利用者は緊急時に有事を知らせる手段として緊急信号を送信するが、緊急信号が伝わったことを知る術がないという問題があった。
【先行技術文献】
【特許文献】
【０００４】
【特許文献１】特開２００８−２０３９８５号公報
【特許文献２】特開２０１１−１５４５１８号公報
【発明の概要】
【発明が解決しようとする課題】
【０００５】
そこで、本発明の課題は、利用者が緊急時に通報を行った後、親機に確実に通報が伝わったことを確認することが可能な、緊急時に安心感を与える緊急通報システムを提供することにある。
【課題を解決するための手段】
【０００６】
上記の課題を解決するために、本発明は、緊急通報に係る所定の緊急無線信号を送信する携帯子機と、前記緊急無線信号を受信し前記受信した緊急無線信号に係る情報を表示するまたは所定の宛先へ通報する緊急通報親機から成る緊急通報システムであって、前記緊急通報親機は、前記携帯子機から前記緊急無線信号を受信する緊急無線信号受信手段と、近傍に存在する前記緊急通報子機へ前記緊急通報子機を動作させる電力をワイヤレス給電する給電手段と、を有し、前記携帯子機から前記緊急無線信号を受信した場合に、前記給電手段を制御し、前記携帯子機へワイヤレス給電する電力を予め定められたオン／オフパターンまたは電力値変動パターンに変調し、前記携帯子機は、前記緊急無線信号を送信する緊急無線信号送信手段と、前記緊急通報親機から電力をワイヤレス受電する受電手段と、前記受電手段が受電する電力のオン／オフまたは電力値変動を監視する受電電力監視手段と、を有し、前記受電手段がワイヤレス受電した電力で動作すると共に、前記緊急無線信号を送信した場合に、前記受電電力監視手段は前記緊急通報親機からワイヤレス受電する電力を監視し、前記予め定められたオン／オフパターンまたは電力値変動パターンを検知したならば、前記送信した緊急無線信号が前記緊急通報親機に送達された旨を自携帯子機が備える表示部に表示することを特徴とする。
【発明の効果】
【０００７】
本発明によれば、利用者が緊急時に通報を行った後、確実に親機に通信が伝わったことを確認することができ、緊急時に安心感を与える緊急通報システムを提供できる。さらに、ワイヤレス給電による携帯子機動作のための電力供給が可能で、携帯子機の電池寿命を延ばすことができる。
【図面の簡単な説明】
【０００８】
【図１】本発明の実施形態に係る緊急通報システムの全体構成図である。
【図２】携帯子機のブロック構成図である。
【図３】緊急通報親機のブロック構成図である。
【図４】無線送電時の電力変動パターンである。
【図５】緊急通報親機の電力変動パターン記憶テーブルである。
【図６】携帯子機の動作フローチャートである。
【図７】緊急通報親機の動作フローチャートである。
【発明を実施するための形態】
【０００９】
以下、本発明の実施形態の一例として、緊急時に通報したとき、携帯子機から緊急通報親機に無線通信が問題なく行われたことをユーザが認識するまでの動作について説明する。
【００１０】
図１は本発明の緊急通報システムの全体構成図である。本発明は緊急時に緊急無線信号を送信する携帯子機１−１〜４と、緊急無線信号を受信して上位ネットワークに緊急通報を知らせる緊急通報親機２と、ネットワーク３と、緊急信号を収集するサーバ４で構成されている。ここで、ネットワーク３は、有線ＬＡＮ（Ｌｏｃａｌ  Ａｒｅａ  Ｎｅｔｗｏｒｋ）、無線ＬＡＮ、内線電話回線等特に限定しない。また、携帯子機１は簡単化のため４台としているが、その限りではないものとする。
【００１１】
はじめに、携帯子機１と緊急通報親機２との間で緊急時に無線通信を行う前の事前設定について説明する。携帯子機１のメモリ部１０２には複数の電力変動パターン（図４に後述する）が記憶されている。携帯子機１はメモリ部に記憶された複数の電力変動パターンから１つの電力変動パターンを選択しておく。ここで、図４に示した電力変動パターンは一例であり、更にパターンを作って記憶させておいてもよい。選択した携帯子機１の電力変動パターンを緊急通報親機２に記憶しておくためにペアリングを行い、緊急通報親機２のメモリ部２０２にペアリングした装置のＩＤと対応する電力変動パターンを記憶する。
【００１２】
次に、緊急時の通信動作について説明する。緊急時に携帯子機１は緊急通報親機２に緊急無線信号を送信する。緊急通報親機２は携帯子機１から受信した緊急無線信号の緊急通報情報をネットワーク３を介して緊急通報信号収集サーバ４に送信し、携帯子機１に対してワイヤレス給電を行う。携帯子機１は受電したワイヤレス給電をＡＣＫ信号として、音と表示で携帯子機から緊急通報親機に無線通信が問題なく行われたことをユーザに伝える。ワイヤレス給電は事前にメモリ部２０２に記憶された電力変動パターンに従う。
【００１３】
図２は、携帯子機１のブロック構成図である。携帯子機１は、制御部１０１と、メモリ部１０２と、緊急通報無線送信部１０３と、無線受電部１０４と、電力変動パターン信号抽出部１０５と、ＡＣＫ信号監視部１０６と、ペアリングボタン１０７と、設定ボタン１０８と、緊急通報ボタン１０９と、音声出力部１１０と、表示部１１１と、装置電源部１１２と、電池１１３で構成される。以下に各ブロックの動作について説明する。
【００１４】
制御部１０１は、携帯子機１の各ブロックを制御する。
【００１５】
メモリ部１０２は、自携帯子機が有する装置ＩＤと電力変動パターンを関連付けて記憶する。
【００１６】
緊急通報無線送信部１０３は、緊急通報親機２に無線通信で緊急無線信号を送信する。
【００１７】
無線受電部１０４は、緊急通報親機２からのワイヤレス給電を受電し、受電した電力を装置電源部１１２と電力変動パターン信号抽出部１０５へ送る。
【００１８】
電力変動パターン信号抽出部１０５は、無線受電部１０４から受電した電力を受け取り、受け取った電力の電力変動パターンをデジタル信号に変換し、ＡＣＫ信号監視部１０６へ送る。
【００１９】
ＡＣＫ信号監視部１０６は、電力変動パターン信号抽出部１０５で変換されたデジタル信号を監視し、常時ワイヤレス受電していること、または、あらかじめ決められた電力変動パターンであることを制御部１０１へ通知する。
【００２０】
ペアリングボタン１０７は、利用者が押下する事により、緊急通報親機２とペアリング通信を開始する。
【００２１】
設定ボタン１０８は、利用者が押下する事により、ペアリング通信を行う際に送信するメモリ部１０２に記憶された電力変動パターンを選択する。
【００２２】
緊急通報ボタン１０９は、利用者が押下する事により、携帯子機１の動作を開始する。
【００２３】
音声出力部１１０は、携帯子機１の状態を音声で知らせる。
【００２４】
表示部１１１は、携帯子機１の状態をＬＣＤまたはＬＥＤで知らせる。
【００２５】
装置電源部１１２は、電池１１３から受け取った電力を携帯子機１の各機能ブロックに供給する。
【００２６】
電池１１３は、無線受電部１０４がワイヤレス受電した電力を蓄電する。
【００２７】
図３は、緊急通報親機２のブロック構成図である。緊急通報親機２は、制御部２０１と、メモリ部２０２と、緊急通報無線受信部２０３と、装置ＩＤ検出部２０４と、受電情報検出部２０５と、無線送電部２０６と、電力変動パターン信号出力部２０７と、音声出力部２０８と、表示部２０９と、緊急信号出力部２１０と、外部電源入力部２１１と、装置電源部２１２で構成される。以下に各ブロックの動作について説明する。
【００２８】
制御部２０１は、緊急通報親機２の各ブロックを制御する。
【００２９】
メモリ部２０２は、ペアリングした携帯子機１から送信された装置ＩＤと電力変動パターンを関連付けて記憶する。
【００３０】
緊急通報無線受信部２０３は、携帯子機１からの緊急無線信号を受信し、装置ＩＤ検出部２０４へ送る。
【００３１】
装置ＩＤ検出部２０４は、緊急通報無線受信部２０３から受け取った信号から携帯子機１の装置ＩＤを検出する。
【００３２】
受電情報検出部２０５は、装置ＩＤ検出部２０４から受け取った信号から携帯子機１のワイヤレス受電情報を検出する。
【００３３】
無線送電部２０６は、携帯子機１にワイヤレス給電を行う。
【００３４】
電力変動パターン信号出力部２０７は、メモリ２０２に記憶された装置ＩＤに対応する電力変動パターン信号を出力し、無線送電部２０６に送る。
【００３５】
音声出力部２０８は、緊急通報親機２の状態を音声で知らせる。
【００３６】
表示部２０９は、緊急通報親機２の状態をＬＣＤまたはＬＥＤで知らせる。
【００３７】
緊急信号出力部２１０は、緊急信号収集サーバ４に緊急信号を送信する。
【００３８】
外部電源入力部２１１は、装置外部からの電源を入力する。
【００３９】
装置電源部２１２は、緊急通報親機２の各機能ブロックに電源を供給する。
【００４０】
図４は、携帯子機１のメモリ部１０２に記憶されている電力変動パターンである。一定時間内の給電ＯＮ時間と給電ＯＦＦ時間の比率を変えて電力変動パターンを作る。本図には一例として、
電力変動パターンの１サイクル分を記載しており、緊急通報親機２は、この１サイクルの電力変動パターンを繰り返して送電するものである。
【００４１】
なお、ここでは給電ＯＮ時間と給電ＯＦＦ時間の比率により電力変動パターンを決めているが、実時間は電力変動パターン信号抽出部１０５のサンプリング周期に合わせ、任意で変更できるものとする。
【００４２】
図５は、緊急通報親機２のメモリ部２０２に記憶されているペアリングした携帯子機１−１、１−３、１−４（ペアリングした装置ＩＤは一例とする）と電力変動パターンのテーブルである。      
【００４３】
緊急無線信号を受信したときに、この電力変動パターン記憶テーブルを参照して、装置ＩＤに対応した電力変動パターンでワイヤレス送電を行う。
【００４４】
図６は、本発明の携帯子機１の動作フローチャートである。以下、図１、図２、図４を併用して携帯子機１の動作を説明する。
【００４５】
本フローチャートは携帯子機１の電源投入段階から開始する（Ｓ１００）。あらかじめ、設定ボタン１０８を用いてメモリ部１０２に記憶した複数の電力変動パターン（図４）から１つを選択し（Ｓ１０１）、ペアリングボタン１０７を押下することで、選択した電力変動パターンと自携帯子機の装置ＩＤを併せて、緊急通報無線送信部１０３から緊急通報親機２にペアリング信号を送信する（Ｓ１０２）。
【００４６】
携帯子機１は、待機状態から緊急通報ボタンが押下されたことを検出して次動作に移り（Ｓ１０３、ＹＥＳ）、緊急通報ボタンが押下されたことを検出しない場合（Ｓ１０３、ＮＯ）は待機状態とし、携帯子機１がワイヤレス給電エリア内にある場合（Ｓ１０４、ＹＥＳ）は無線受電部１０４がワイヤレス受電を行い電池１１３に蓄電し（Ｓ１０５）、このとき電力変動パターン信号抽出部１０５が復調したデジタル信号をＡＣＫ信号監視部１０６に送り、ＡＣＫ信号監視部１０６はデジタル信号が常に給電ＯＮであることをワイヤレス受電情報として制御部１０１に送信し（Ｓ１０６）、携帯子機１がワイヤレス給電エリア外にある場合（Ｓ１０４、ＮＯ）は携帯子機１がワイヤレス給電エリア外にあることを表示部１１１に表示する。
【００４７】
緊急通報ボタンが押下されたことを制御部１０１が検出すると、制御部１０１は緊急通報無線送信部１０３に緊急無線信号送信指示と、処理Ｓ１０６でＡＣＫ信号監視部１０６から受信したワイヤレス受電情報を送り、緊急無線信号送信指示を受けた緊急通報無線送信部１０３は、緊急通報親機２に緊急無線信号とワイヤレス受電情報を送信する。制御部１０１は、緊急通報無線送信部１０３が緊急通報親機２に緊急無線信号を送信したことを音声出力部１１０と表示部１１１に通知し、音声出力部１１０から音の出力と表示部１１１に表示を行う（Ｓ１０８）。このとき、表示部１１１はＬＣＤによる文字表示でもＬＥＤによる発光表示でもよい。
【００４８】
また、制御部１０１はＡＣＫ信号監視部１０６にＡＣＫ信号監視タイマーの起動を指示して、ＡＣＫ信号受信有無の監視を開始する（Ｓ１０９）。
【００４９】
無線受電部１０４が緊急通報親機２からのワイヤレス給電を受電し、電力変動パターン信号抽出部１０５は一定間隔のサンプリング周期で、無線受電部１０４で受電した電力変動パターンの給電ＯＮと給電ＯＦＦの電力値の変動と時間の比率を読み取り、デジタル信号に復調する（Ｓ１１０）。
【００５０】
処理Ｓ１０９でＡＣＫ信号の監視を開始したＡＣＫ信号監視部１０６が、一定時間内にあらかじめ選択した電圧変動パターンのデジタル信号を電力変動パターン信号抽出部１０５から受信した場合（Ｓ１１１、ＹＥＳ）、制御部１０１は緊急通報親機２からのＡＣＫとして信号を受信できたことをＡＣＫ信号監視部１０６から受信し、音声出力部１１０と表示部１１１に通知し、音声出力部１１０から音の出力と表示部１１１に表示を行う（Ｓ１１２）。一定時間後、音声出力部１１０の音を停止し、表示部１１１の表示をクリアし（Ｓ１１５）、携帯子機１の待機状態に戻る。このとき、ＡＣＫ信号監視部のＡＣＫ信号監視時間は任意に設定できるものとする。
【００５１】
ＡＣＫ信号監視部１０６が、一定時間内にあらかじめ選択した電圧変動パターンのデジタル信号を受信しない場合（Ｓ１１１、ＮＯ）、制御部１０１は緊急通報無線送信部１０３に緊急無線信号送信指示を送り、緊急無線信号とワイヤレス給電情報の再送を行う（Ｓ１１３）。
【００５２】
再送回数が３回を超える場合（Ｓ１１４、ＹＥＳ）、一定時間後、音声出力部１１０の音を停止し、表示部１１１の表示をクリアし（Ｓ１１５）、携帯子機１の待機状態に戻る。再送回数が３回に満たない場合（Ｓ１１４、ＮＯ）、無線受電部１０４の受電待機状態を繰り返す。
【００５３】
図７は、本発明の緊急通報親機２の動作フローチャートである。以下、図１、図３、図５を併用して緊急通報親機２の動作を説明する。
【００５４】
本フローチャートは緊急通報親機２の電源投入段階から開始する（Ｓ２００）。緊急通報親機２は起動後に無線送電部２０６からワイヤレス送電を行う（Ｓ２０１）。
【００５５】
携帯子機１から緊急通報無線受信部２０３がペアリング信号を受信し、携帯子機の装置ＩＤと電力変動パターンをメモリ部２０２に記憶する（Ｓ２０２）。
【００５６】
緊急通報親機２は、待機状態に緊急通報無線受信部２０３が緊急無線信号を受信した場合（Ｓ２０３、ＹＥＳ）、制御部２０１は緊急通報無線受信部２０３が緊急無線信号を受信したことを音声出力部２０８と表示部２０９に通知し、音声出力部２０８から音の出力と表示部２０９に表示し（Ｓ２０４）、緊急通報信号出力部２１０からネットワーク３を介して、緊急通報信号を緊急通報信号収集サーバ４に送信する（Ｓ２０５）。緊急無線信号を受信しない場合は待機状態を継続する（Ｓ２０３、ＮＯ）。
【００５７】
緊急通報無線受信部２０３で受信した緊急無線信号が、ペアリング済みの携帯子機のものであるかどうかを、制御部２０１は装置ＩＤ検出部２０４で検出した装置ＩＤとメモリ部２０２の電力変動パターン記憶テーブルの装置ＩＤを照合し、ペアリング済みの携帯子機であった場合（Ｓ２０６、ＹＥＳ）、かつ、制御部２０１は受電情報検出部２０５でワイヤレス受電情報が検出できた場合（Ｓ２０７、ＹＥＳ）、制御部２０１から電力変動パターン信号出力部２０７に対して電力変動パターン記憶テーブルの装置ＩＤに対応した電力変動パターンで出力指示を行い（Ｓ２０８）、無線送電部２０６は電力変動パターン信号出力部２０７から受信した電力変動パターン信号で、携帯子機１にワイヤレス送電を行う（Ｓ２０９）。制御部２０１は電力変動パターン信号出力部２０７に対して電力変動パターン出力指示後、音声出力部２０８の音を停止し、表示部２０９の表示をクリアし（Ｓ２１０）、緊急通報親機２の待機状態に戻る。ペアリング済みの装置ＩＤが検出できない場合（Ｓ２０６、ＮＯ）、または、ワイヤレス受電情報が検出できない場合（Ｓ２０７、ＮＯ）、Ｓ２０８とＳ２０９処理を省き、音声出力部２０８の音を停止し、表示部２０９の表示をクリアし（Ｓ２１０）、緊急通報親機２の待機状態に戻る。
【符号の説明】
【００５８】
１・・・携帯子機、２・・・緊急通報親機、３・・・ネットワーク、４・・・緊急通報信号収集サーバ、１０１・・・制御部、１０２・・・メモリ部、１０３・・・緊急通報無線送信部、１０４・・・無線受電部、１０５・・・電力変動パターン信号抽出部、１０６・・・ＡＣＫ信号監視部、１０７・・・ペアリングボタン、１０８・・・設定ボタン、１０９・・・緊急通報ボタン、１１０・・・音声出力部、１１１・・・表示部、１１２・・・装置電源部、１１３・・・電池、２０１・・・制御部、２０２・・・メモリ部、２０３・・・緊急通報無線受信部、２０４・・・装置ＩＤ検出部、２０５・・・受電情報検出部、２０６・・・無線送電部、２０７・・・電力変動パターン信号出力部、２０８・・・音声出力部、２０９・・・表示部、２１０・・・緊急信号出力部、２１１・・・外部電源入力部、２１２・・・装置電源部
【図１】
2016162173.tif 000003
【図２】
2016162173.tif 000004
【図３】
2016162173.tif 000005
【図４】
2016162173.tif 000006
【図５】
2016162173.tif 000007
【図６】
2016162173.tif 000008
【図７】
2016162173.tif 000009